【手続補正書】
【提出日】平成26年1月23日(2014.1.23)
【手続補正１】
【補正対象書類名】特許請求の範囲
【補正対象項目名】全文
【補正方法】変更
【補正の内容】
【特許請求の範囲】
【請求項１】
旅行商品の価格と、当該旅行商品に設定された旅行を構成する地理的要素および非地理的要素に関する要素情報と、を含む旅行商品情報を記憶する旅行商品情報記憶手段と、
旅行予算と、上記非地理的要素の優先度と、を含む検索条件を取得する検索条件取得手段と、
上記検索条件取得手段により取得された上記検索条件を満たす、上記旅行商品情報記憶手段に記憶された上記旅行商品情報を検索する旅行商品情報検索手段と、
上記旅行商品情報検索手段により検索された上記旅行商品情報に含まれる上記要素情報に基づき、当該旅行商品情報を出力部を介して比較可能に出力させる旅行商品情報出力手段と、
を備えたことを特徴とする、ナビゲーションシステム。
【請求項２】
請求項１に記載のナビゲーションシステムにおいて、
上記非地理的要素に関する上記要素情報は、
上記旅行に利用される施設に関する施設情報、および、上記旅行に利用される移動手段に関する移動手段情報を含むことを特徴とする、ナビゲーションシステム。
【請求項３】
請求項２に記載のナビゲーションシステムにおいて、
上記施設情報は、
上記施設の施設名称、および、当該施設に対して設定されたランクに関するランク情報を含み、
上記旅行商品情報出力手段は、
上記旅行商品情報検索手段により検索された上記旅行商品情報に含まれる上記施設情報に含まれる上記ランク情報に基づき、当該旅行商品情報を上記出力部を介して比較可能に出力させることを特徴とする、ナビゲーションシステム。
【請求項４】
請求項３に記載のナビゲーションシステムにおいて、
上記非地理的要素の上記優先度は、
上記ランクであり、
上記旅行商品情報検索手段は、
上記検索条件取得手段により取得された上記検索条件を満たす、当該検索条件に含まれる上記ランクに合致する上記施設の上記施設情報を含む上記旅行商品情報を検索することを特徴とする、ナビゲーションシステム。
【請求項５】
請求項２に記載のナビゲーションシステムにおいて、
上記施設情報は、
上記施設の施設名称、および、当該施設における平均利用金額を含み、
上記旅行商品情報出力手段は、
上記旅行商品情報検索手段により検索された上記旅行商品情報に含まれる上記施設情報に含まれる上記平均利用金額に基づき、当該旅行商品情報を上記出力部を介して比較可能に出力させることを特徴とする、ナビゲーションシステム。
【請求項６】
請求項５に記載のナビゲーションシステムにおいて、
上記非地理的要素の上記優先度は、
上記施設における利用可能予算額であり、
上記旅行商品情報検索手段は、
上記検索条件取得手段により取得された上記検索条件を満たす、当該検索条件に含まれる上記利用可能予算額に合致する上記平均利用金額の上記施設の上記施設情報を含む上記旅行商品情報を検索することを特徴とする、ナビゲーションシステム。
【請求項７】
請求項６に記載のナビゲーションシステムにおいて、
上記利用可能予算額は、
下限予算額、上限予算額、または、平均予算額であることを特徴とする、ナビゲーションシステム。
【請求項８】
請求項２に記載のナビゲーションシステムにおいて、
上記施設情報は、
上記施設の位置情報、および、上記施設の属性情報を含み、
上記旅行を構成する上記地理的要素および上記非地理的要素に関する上記要素情報を記憶する旅行要素情報記憶手段と、
交通網を規定するネットワーク情報を記憶するネットワーク情報記憶手段と、
上記旅行商品情報検索手段により検索された上記旅行商品情報に含まれる上記施設情報に含まれる上記位置情報に基づく施設位置、および／または、上記属性情報に基づく施設属性の類似する上記施設の、上記旅行要素情報記憶手段に記憶された上記施設情報を検索する施設情報検索手段と、
上記施設情報検索手段により検索された上記施設情報に基づく上記施設間の施設間経路を、上記ネットワーク情報記憶手段に記憶された上記ネットワーク情報を用いて探索し、当該施設間経路に対応する、上記旅行要素情報記憶手段に記憶された上記移動手段情報を取得する施設間経路探索手段と、
上記施設情報検索手段により検索された上記施設情報、および、上記施設間経路探索手段により取得された上記移動手段情報を含む上記要素情報を含む旅行計画情報を生成する旅行計画情報生成手段と、
を更に備え、
上記旅行商品情報出力手段は、
更に、上記旅行計画情報生成手段により生成された上記旅行計画情報に含まれる上記要素情報に基づき、当該旅行計画情報を上記出力部を介して比較可能に出力させることを特徴とする、ナビゲーションシステム。
【請求項９】
請求項８に記載のナビゲーションシステムにおいて、
上記旅行商品情報出力手段により出力された上記旅行商品情報、または、上記旅行計画情報の予約を行う予約手段、
を更に備えたことを特徴とする、ナビゲーションシステム。
【請求項１０】
請求項１乃至９のいずれか一つに記載のナビゲーションシステムにおいて、
上記ナビゲーションシステムは、
入力部、
を更に備え、
上記検索条件取得手段は、
上記入力部を介して上記旅行予算と上記非地理的要素の上記優先度とを含む上記検索条件が入力された場合、当該検索条件を取得することを特徴とする、ナビゲーションシステム。
【請求項１１】
請求項１乃至１０のいずれか一つに記載のナビゲーションシステムにおいて、
上記非地理的要素の上記優先度は、
上記旅行予算における上記各要素の内訳金額および／または上記各要素の占める割合であることを特徴とする、ナビゲーションシステム。
【請求項１２】
請求項１乃至１１のいずれか一つに記載のナビゲーションシステムにおいて、
上記出力部は、
表示部を含み、
地図の地図情報を記憶する地図情報記憶手段、
を更に備え、
上記旅行商品情報出力手段は、
上記旅行商品情報検索手段により検索された上記旅行商品情報に含まれる上記要素情報に基づき、上記地図情報記憶手段に記憶された上記地図情報上に、当該旅行商品情報を重畳させて上記表示部に比較可能に表示させることを特徴とする、ナビゲーションシステム。
【請求項１３】
ナビゲーションシステムにおいて実行されるナビゲーション方法であって、
上記ナビゲーションシステムは、
旅行商品の価格と、当該旅行商品に設定された旅行を構成する地理的要素および非地理的要素に関する要素情報と、を含む旅行商品情報を記憶する旅行商品情報記憶手段と、検索条件取得手段と、旅行商品情報検索手段と、旅行商品情報出力手段と、
を備え、
上記検索条件取得手段が、旅行予算と、上記非地理的要素の優先度と、を含む検索条件を取得する検索条件取得ステップと、
上記旅行商品情報検索手段が、上記検索条件取得ステップにて取得された上記検索条件を満たす、上記旅行商品情報記憶手段に記憶された上記旅行商品情報を検索する旅行商品情報検索ステップと、
上記旅行商品情報出力手段が、上記旅行商品情報検索ステップにて検索された上記旅行商品情報に含まれる上記要素情報に基づき、当該旅行商品情報を出力部を介して比較可能に出力させる旅行商品情報出力ステップと、
を含むことを特徴とする、ナビゲーション方法。
【請求項１４】
旅行商品の価格と、当該旅行商品に設定された旅行を構成する地理的要素および非地理的要素に関する要素情報と、を含む旅行商品情報を記憶する旅行商品情報記憶手段を備えたシステムのコンピュータを、
旅行予算と、上記非地理的要素の優先度と、を含む検索条件を取得する検索条件取得手段、
上記検索条件取得手段にて取得された上記検索条件を満たす、上記旅行商品情報記憶手段に記憶された上記旅行商品情報を検索する旅行商品情報検索手段、
上記旅行商品情報検索手段にて検索された上記旅行商品情報に含まれる上記要素情報に基づき、当該旅行商品情報を出力部を介して比較可能に出力させる旅行商品情報出力手段、
として機能させることを特徴とするプログラム。